(57)【特許請求の範囲】
【請求項１】
外気温度ξ、日射量η及び吹出口温度βを含む必須入力変数群を参照して、エアコン吹出口を切り替えるための吹出口切替ダンパーの位置を示す出力変数αの値を演算し、その得られた出力変数値αに基づきエアコンの吹出口切替ダンパーの位置切替制御を行なうエアコン制御方法であって、
前記必須入力変数群は、前記外気温度ξ及び日射量ηを第一種入力変数とし、前記吹出口温度βを第二種入力変数として、前記第一種入力変数ξ，ηが張る部分入力平面上の予め定められたＱ個（Ｑ≧４）のモデル座標点毎に、前記二種入力変数βの値と前記出力変数αの値との関係を定めるモデル制御パターンを複数離散的に用意し、
前記必須入力変数群ξ，η，βの各入力値が与えられたとき、該入力値に含まれる前記第一種入力変数ξ，ηの前記部分入力平面上の座標点を実制御座標点として、該部分入力平面にて前記実制御座標点を内部に含む予め定められたモーフィング対象領域に存在するＪ個（Ｑ＞Ｊ≧３）以上のモデル座標点を被モーフィング座標点として特定し、
前記第二種入力変数βと前記出力変数αとが張る制御パターン平面において、各被モーフィング座標点に対応するＪ個の前記モデル制御パターンの形状を、前記部分入力平面における各前記被モーフィング座標点の前記実制御座標点までの距離に応じた重みにてモーフィングすることにより、前記実制御座標点に対応する合成制御パターンを作成し、
該合成制御パターンに基づいて、前記必須入力変数群ξ，η，βの入力値に対応する、吹出口切替ダンパー位置を示す前記出力変数値αを計算することを特徴とするエアコン制御方法。
【請求項２】
前記吹出口切替ダンパーは前記エアコン吹出口をフット側とフェイス側との間で切り替えるものであり、
前記モデル制御パターン及び前記合成制御パターンは、前記第二種入力変数をなす前記吹出口温度βと前記出力変数をなす前記吹出口切替ダンパーの位置αとが張る前記制御パターン平面上に描画可能な二次元線図パターンとされてなり、前記吹出口温度βが予め定められた遷移温度域よりも低い側に外れるときフェイス側となり、前記遷移温度域よりも高い側に外れるときフット側となるように、前記吹出口切替ダンパーの位置αを規定するものである請求項１記載のエアコン制御方法。
【請求項３】
前記モデル制御パターンは、前記外気温度ξが高くなるほど、また、前記日射量ηが大きくなるほど、前記吹出口温度βの前記遷移温度域の中心温度が高温側となるように定められてなる請求項２記載のエアコン制御方法。
【請求項４】
前記二次元線図パターンは、パターン起点からパターン終点に向けて配列する一定個数のハンドリング点により形状規定されるものであり、全ての前記モデル座標点に対応する二次元線図パターンの各ハンドリング点同士が配列順位に従い一義的に対応付けられてなり、
各前記被モーフィング座標点にかかる前記二次元線図パターンの各ハンドリング点の対応するもの同士をモーフィングすることにより合成ハンドリング点を生成し、それら合成ハンドリング点により前記合成制御パターンをなす二次元線図パターンを規定するようにした請求項２又は請求項３に記載のエアコン制御方法。
【請求項５】
前記二次元線図パターンは、前記ハンドリング点を順次直線連結して得られる折線状パターンである請求項４記載のエアコン制御方法。
【請求項６】
前記部分入力平面内にて隣接する前記モデル座標点を相互にフレーム連結することにより、各頂点を前記モデル座標点とする形で前記部分入力平面を隙間なく区画するよう複数の単位セルが配列形成されてなり、
それら複数の単位セルのうち、前記実制御座標点を内包するものを前記モーフィング対象領域とし、該単位セルの頂点をなすモデル座標点を前記被モーフィング座標点として使用する請求項１ないし請求項５のいずれか１項に記載のエアコン制御方法。
【請求項７】
前記単位セルは、各前記モデル座標点を頂点とするドローネ三角形である請求項６記載のエアコン制御方法。
【請求項８】
前記単位セルは、前記部分入力平面を張る各座標軸と各辺が平行に定められた長方形セルとされてなる請求項７記載のエアコン制御方法。
【請求項９】
複数の前記長方形セルが互いに合同となるように定められてなる請求項８記載のエアコン制御方法。
【請求項１０】
前記長方形セルを、前記実制御座標点を通って各辺と平行な平面で切断することにより、それぞれ前記実制御座標点を共有し、かつ前記長方形セルの頂点をなす前記モデル座標点を排他的に１個ずつ取り合う部分長方形に区切り、各部分長方形の前記長方形セルに対する相対面積を、当該部分長方形に含まれるモデル座標点の前記長方形セルの対角線方向反対側に位置するモデル座標点への重みとする形で前記モーフィングを行なう請求項８又は請求項９に記載のエアコン制御方法。
【請求項１１】
外気温度ξ、日射量η及び吹出口温度βを含む必須入力変数群を参照して、エアコン吹出口を切り替えるための吹出口切替ダンパーの位置を示す出力変数αの値を演算し、その得られた出力変数値αに基づきエアコンの吹出口切替ダンパーの位置切替制御を行なうエアコン制御装置であって、
前記必須入力変数群は、前記外気温度ξ及び日射量ηを第一種入力変数とし、前記吹出口温度βを第二種入力変数として、前記第一種入力変数ξ，ηが張る部分入力平面上の予め定められたＱ個（Ｑ≧４）のモデル座標点毎に離散的に用意された、前記二種入力変数βの値と前記出力変数αの値との関係を定める複数モデル制御パターンを記憶する制御特性情報記憶手段と、
前記必須入力変数群ξ，η，βの各入力値が与えられたとき、該入力値に含まれる前記第一種入力変数ξ，ηの前記部分入力平面上の座標点を実制御座標点として、該部分入力平面にて前記実制御座標点を内部に含む予め定められたモーフィング対象領域に存在するＪ個（Ｑ＞Ｊ≧３）以上のモデル座標点を被モーフィング座標点として特定する被モーフィング座標点特定手段と、
前記第二種入力変数βと前記出力変数αとが張る制御パターン平面において、各被モーフィング座標点に対応するＪ個の前記モデル制御パターンの形状を、前記部分入力平面における各前記被モーフィング座標点の前記実制御座標点までの距離に応じた重みにてモーフィングすることにより、前記実制御座標点に対応する合成制御パターンをする制御パターンモーフィング手段と、
該合成制御パターンに基づいて、前記必須入力変数群ξ，η，βの入力値に対応する、吹出口切替ダンパー位置を示す前記出力変数値αを計算する出力変数計算手段と、
を有することを特徴とするエアコン制御装置。
【発明の詳細な説明】
【技術分野】
【０００１】
本発明は、エアコン制御方法及びエアコン制御装置に関する。
【背景技術】
【０００２】
【非特許文献１】IEEE Computer Graphics and  Applications, January/February 1998, 60-73
【０００３】
近年普及している自動車用のオートエアコンでは、外気温センサ、日射量センサ及び内気温センサなど、多種類のセンサ入力を参照して、エアコン動作を車両環境に応じて適性に制御することが行なわれている。この場合、エアコン動作を決める出力設定値を、上記多数のセンサ入力値の組と結びつけるための制御仕様が必要である。従来多用されているエアコン制御形態の一つにＴＡＯ法がある。また、多変数入力／１出力の制御に適した方式としてこの他に知られているものにニューラルネットワークがある。
【発明の開示】
【発明が解決しようとする課題】
【０００４】
ＴＡＯ法において制御仕様を定めるには、ＴＡＯを規定する制御固有の係数を車種毎に異なる値として決定する必要がある。しかし、ＴＡＯは、設定温度（ＴＳＥＴ）、内気温（ＴＲ）、外気温（ＴＡＭ）及び日射量（ＴＳ）の４つもの入力変数を自由度として有する多変数関数であり、これら変数を独立に変化させながら多数の係数（△Ｔ、Ｃ、Ｅ〜Ｈ）の適性値を探るのは、シミュレーションを導入しても相当の労力を要し、該ＴＡＯを用いた制御ロジックの開発にも時間を要することとなる。
【０００５】
また、ニューラルネットワークを用いた制御部は、入力数の増えると必要な素子数が幾何学的に増加する問題がある。また、種々の入力値の組み合わせに対して意図した入力結果が得られるようになるまで、複雑な学習処理を多数回繰り返さなければならず、開発リードタイムが非常に長くなってしまう欠点がある。さらに、学習処理の実施には高性能のコンピュータが必要であり、設備投資金額もかさむ難点がある。
【０００６】
本発明の課題は、複数入力一出力形態のエアコン制御において、取得の容易なモデル制御パターンを用意するだけで、簡単で開発工数の少ないアルゴリズムにより、任意の入力値に対し意図通りの出力結果が得られるエアコン制御方法と、これを実現するためのエアコン制御装置とを提供することにある。
【課題を解決するための手段及び発明の効果】
【０００７】
上記の課題を解決するために、本発明のエアコン制御方法は、
外気温度ξ、日射量η及び吹出口温度βを含む必須入力変数群を参照して、エアコン吹出口を切り替えるための吹出口切替ダンパーの位置を示す出力変数αの値を演算し、その得られた出力変数値αに基づきエアコンの吹出口切替ダンパーの位置切替制御を行なうエアコン制御方法であって、
必須入力変数群は、外気温度ξ及び日射量ηを第一種入力変数とし、吹出口温度βを第二種入力変数として、第一種入力変数ξ，ηが張る部分入力平面上の予め定められたＱ個（Ｑ≧４）のモデル座標点毎に、二種入力変数βの値と出力変数αの値との関係を定めるモデル制御パターンを複数離散的に用意し、
必須入力変数群ξ，η，βの各入力値が与えられたとき、該入力値に含まれる第一種入力変数ξ，ηの部分入力平面上の座標点を実制御座標点として、該部分入力平面にて実制御座標点を内部に含む予め定められたモーフィング対象領域に存在するＪ個（Ｑ＞Ｊ≧３）以上のモデル座標点を被モーフィング座標点として特定し、
第二種入力変数βと出力変数αとが張る制御パターン平面において、各被モーフィング座標点に対応するＪ個のモデル制御パターンの形状を、部分入力平面における各被モーフィング座標点の実制御座標点までの距離に応じた重みにてモーフィングすることにより、実制御座標点に対応する合成制御パターンを作成し、
該合成制御パターンに基づいて、必須入力変数群ξ，η，βの入力値に対応する、吹出口切替ダンパー位置を示す出力変数値αを計算することを特徴とする。
【０００８】
また、本発明のエアコン制御装置は、
外気温度ξ、日射量η及び吹出口温度βを含む必須入力変数群を参照して、エアコン吹出口を切り替えるための吹出口切替ダンパーの位置を示す出力変数αの値を演算し、その得られた出力変数値αに基づきエアコンの吹出口切替ダンパーの位置切替制御を行なうエアコン制御装置であって、
必須入力変数群は、外気温度ξ及び日射量ηを第一種入力変数とし、吹出口温度βを第二種入力変数として、第一種入力変数ξ，ηが張る部分入力平面上の予め定められたＱ個（Ｑ≧４）のモデル座標点毎に離散的に用意された、二種入力変数βの値と出力変数αの値との関係を定める複数モデル制御パターンを記憶する制御特性情報記憶手段と、
必須入力変数群ξ，η，βの各入力値が与えられたとき、該入力値に含まれる第一種入力変数ξ，ηの部分入力平面上の座標点を実制御座標点として、該部分入力平面にて実制御座標点を内部に含む予め定められたモーフィング対象領域に存在するＪ個（Ｑ＞Ｊ≧３）以上のモデル座標点を被モーフィング座標点として特定する被モーフィング座標点特定手段と、
第二種入力変数βと出力変数αとが張る制御パターン平面において、各被モーフィング座標点に対応するＪ個のモデル制御パターンの形状を、部分入力平面における各被モーフィング座標点の実制御座標点までの距離に応じた重みにてモーフィングすることにより、実制御座標点に対応する合成制御パターンをする制御パターンモーフィング手段と、
該合成制御パターンに基づいて、必須入力変数群ξ，η，βの入力値に対応する、吹出口切替ダンパー位置を示す出力変数値αを計算する出力変数計算手段と、を有することを特徴とする。
【０００９】
上記本発明においては、エアコン制御に使用する必須入力変数群が、外気温度ξ、日射量η及び吹出口温度βを少なくとも含み、その変数を、出力変数α（吹出口切替ダンパー位置を示す）との関係をモデル制御パターンとして直接記述する第二種入力変数（吹出口温度β）と、そのモデル制御パターンをマッピングするための第一種入力変数（外気温度ξ及び日射量η）とに分離する。第一種入力変数ξ，ηが張る平面を部分入力平面（つまり、ξ−η平面）とする。また、第二種入力変数βと出力変数αとが張る空間を制御パターン平面とする。
【００１０】
そして、第一種入力変数ξ，ηの種々の値の組み合わせについて部分入力平面（ξ−η平面）上に、２以上のモデル座標点を定め、それらモデル座標点毎に固有の（つまり、第一種入力変数ξ，ηの個々の値の組み合わせ毎に、第二種入力変数βと出力変数αとの間の好ましい制御特性を反映した）モデル制御パターンをマッピングする形で用意する。そして、必須入力変数群ξ，η，βの現在値を取得したとき、これに含まれる第一種入力変数ξ，ηの値を抽出すれば、部分入力平面上にその座標点を実制御座標点としてプロットできる。そして、その実制御座標点を含む予め定められたモーフィング対象領域に存在する３個以上のモデル座標点を被モーフィング座標点として特定する。
【００１１】
第一種入力変数ξ，ηの現在値を表わす実制御座標点は刻々変化するものであり、一般には、これがどれかのモデル座標点と一致することは稀である。そこで、実制御座標点に近接した複数個のモデル座標点を被モーフィング座標点として選ぶ（その具体的な選び方は、モーフィング対象領域をどう設定するかに応じて異なる）。各モデル座標点には固有のモデル制御パターンが用意されている。個々のモデル制御パターンは、必須入力変数群のうち第一種入力変数の値をモデル座標点の座標値に固定したとき、残余の第二種入力変数の値に応じて出力変数をどのように変化させるかを記述する制御関数であるが、これを制御パターン平面上で眺めてみた場合、モデル座標点毎に固有の形状を有した図形として捉えることができる。
【００１２】
本発明者は、制御パターン（制御関数）を図形に概念変換して捉え、従来は画像処理分野に特化された技術であるモーフィング（例えば、非特許文献１）を敢えてエアコン制御の分野に導入することにより、実制御座標点について本来的には用意されていない制御パターンを簡単に取得できることを見出し、本発明を完成させるに至ったものである。すなわち、部分入力平面にて複数の被モーフィング座標点に対応して用意されたモデル制御パターンを、それぞれ制御パターン平面上での図形とみなすことにより、部分入力平面における各被モーフィング座標点の実制御座標点までの距離に応じた重みにて、画像合成処理の場合と全く同様にしてモーフィングできる。従来は、モーフィングにより合成された画像を視覚的に出力することだけが目的であったが、本発明においては、モーフィングにより合成されるのが制御パターンであり、モーフィングの結果物である合成制御パターンを、第二種入力変数βが与えられたときに出力変数αの値を決定するための制御関数として、エアコン制御処理に２次使用する点に最大の特徴がある。
【００１３】
そして、モーフィングにより得られた実制御座標点に対応する合成制御パターンは、純画像合成処理的な手法により得られたものであるにも拘わらず、制御技術的にも全く矛盾しないばかりか、第一種入力変数ξ，ηの値（モデル座標点の座標値）毎の、第二種入力変数βと出力変数αとの間の適正な制御特性を反映したものとして個々のモデル制御パターンが用意されている限り、合成制御パターンも実制御座標点における所望の制御特性を的確に反映したものとして取得できる。そして、複数入力一出力形態のエアコン制御であるにも拘わらず、開発工数の主体を占めるのは第一種入力変数ξ，ηの値（モデル座標点の座標値）の種々の組につき、第二種入力変数βと出力変数αとの関係を示すモデル制御パターンを、例えば実験的な手法により取得する処理を機械的に繰り返すことだけである。その取得したモデル制御パターンは機器にインストールするだけで直ちに実使用に供することができ、しかもモーフィングによる簡単で開発工数の少ない画像合成的なアルゴリズムにより、任意の入力値に対し意図通りの出力結果が得られるエアコン制御方法ならびに装置が実現する。
【００１４】
エアコンから吹き出される空調風が暖房として機能するか、冷房として機能するかは、吹出口温度βと外気温度ξとの相対関係によって決定される。すなわち、吹出口温度βが同じ値に設定されていても、冬期であれば外気温度ξは吹出口温度βよりも低くなり、空調風を暖房として利用するのが妥当である。一方、夏季であれば外気温度ξは吹出口温度βよりも高くなり、空調風を冷房として利用するのが妥当である。また、日射量ηについては、日差しが強ければ、冬期であれば外気温度が低くても車内温度が上昇しやすく、空調風を部分的に冷房として使用したほうが好ましい場合がある。逆に、日差しがほとんどない状況（特に夜間等）では、真夏でも直射日光を受けない分だけ冷房の効きがよくなり、同一吹出口温度では冷え性の女性等が寒さを訴える可能性があるので、空調風を部分的に暖房として使用したほうが好ましい場合がある。本発明においては、出力変数αが示す吹出口切替ダンパーの位置を、第二種入力変数をなす吹出口温度βに応じて適正化するために、その制御パターンを、第一種入力変数をなす外気温度ξ及び日射量ηの種々の値の組（つまり、モデル座標点）毎に用意されたモデル制御パターンのモーフィングにより的確かつ迅速に得ることができ、ひいては外気温度ξ及び日射量ηに応じた吹出口選定を的確に実施することができる。
【００１５】
健康上好ましい空調形態は、いわゆる「頭寒足熱」に原理に従うものであり、暖房は足元側から、冷房は頭（顔）側から行なうのがよい。この場合、吹出口切替ダンパーは、エアコン吹出口をフット側（暖房時）とフェイス側（冷房時）との間で切り替えるようにする。また、暖気は冷気よりも軽いので、空調風の上下の偏りを生じなくする観点においても合理的である。
【００１６】
この場合、モデル制御パターン及び合成制御パターンは、第二種入力変数をなす吹出口温度βと出力変数をなす吹出口切替ダンパーの位置αとが張る制御パターン平面上に描画可能な二次元線図パターンとすることができる。具体的には、該制御パターンは、吹出口温度βが予め定められた遷移温度域よりも低い側に外れるときフェイス側となり、遷移温度域よりも高い側に外れるときフット側となるように、吹出口切替ダンパーの位置αを規定するものである。このようにすると、モデル制御パターンのデータ取得工程は、第一種入力変数の組ξ，ηを任意の値に固定し、１個の第二種入力変数βの値を単純に変化させながら出力変数値αの適性値を見出す形に簡略化され、開発工数の更なる削減に寄与するとともに、線図パターンの合成で済むのでモーフィング計算のアルゴリズムも軽量化できる。
【００１７】
モデル制御パターンは、外気温度ξが高くなるほど、また、日射量ηが大きくなるほど、吹出口温度βの遷移温度域の中心温度θｍが高温側となるように定めることができる。該中心温度θｍは、吹出口がフェイス側（冷房側）からフット側（暖房側）へ切り替わる切替温度とみなすことができ、外気温度ξが高くなるほど、あるいは日射量ηが大きくなるほど、吹出口温度βの高温側までフェイス側（冷房側）からの吹出が継続されるようになり、高温域まで吹出風を冷房風として活用することができる。また、夜間等のように日射量ηが小さい場合は、中心温度θｍが低温側へ推移する結果、吹出口温度βが比較的低い段階でフット側（暖房側）からの吹き出しが開始され、空調風を暖房として活用する上で好都合となる。なお、遷移温度域の幅をゼロとすること、すなわち、遷移温度域の上限温度と下限温度とを遷移温度点として一致させることも可能であり、この場合は、モデル制御パターンは、その遷移温度点で吹出口がフェイス側（冷房側）とフット側（暖房側）との間で不連続に切り替わることになる。
【００１８】
この場合、二次元線図パターンは、パターン起点からパターン終点に向けて配列する一定個数のハンドリング点により形状規定されるものとでき、全てのモデル座標点に対応する二次元線図パターンの各ハンドリング点同士が配列順位に従い一義的に対応付けることができる。そして、各被モーフィング座標点にかかる二次元線図パターンの各ハンドリング点の対応するもの同士をモーフィングすることにより合成ハンドリング点を生成し、それら合成ハンドリング点により合成制御パターンをなす二次元線図パターンを規定することができる。二次元線図パターンをハンドリング点の集合に還元することで、モーフィングの演算対象も限られた個数のハンドリング点とすることができ、モーフィング演算負荷を大幅に減ずることができる。そして、合成制御パターンも、モーフィングの結果として得られる合成ハンドリング点により簡単に得ることができる。
【００１９】
ハンドリング点により規定される二次元線図パターンの種別は、例えばペジェ曲線やＢスプライン曲線などの曲線パターンとすることもできるが、ハンドリング点を順次直線連結して得られる折線状パターンとすることが、演算の簡略化により寄与できる。また、制御パターンを表わす二次元線図パターンにおいて、第二種入力変数に対する出力変数の変化勾配を、その屈曲点にて不連続に遷移させる制御を行ないたい場合、屈曲点を表わすハンドリング点が、モーフィング合成後においても、合成制御パターン中の対応する屈曲点を表わすハンドリング点として保存されるので、屈曲点位置の異なる複数の二次元線図パターンを幾何学的にブレンドしているにも拘わらず、屈曲点位置が不鮮明となることを防止することができる。
【００２０】
次に、被モーフィング座標点を簡単かつ的確に決定するには、モーフィング対象領域を以下のようにして定めておくと、モーフィングのアルゴリズムを簡略化することができる。すなわち、部分入力平面内にて隣接するモデル座標点を相互にフレーム連結することにより、各頂点をモデル座標点とする形で部分入力平面を隙間なく区画するよう複数の単位セルを配列形成する。そして、それら複数の単位セルのうち、実制御座標点を内包するものをモーフィング対象領域とし、該単位セルの頂点をなすモデル座標点を被モーフィング座標点として使用する。部分入力平面を予め上記のような単位セル（モーフィング対象領域）にて区切っておくことにより、実制御座標点がどの単位セルに属するかを判定することにより、その単位セルの頂点をなすモデル座標点を被モーフィング座標点として簡単に決定できる。
【００２１】
部分入力平面内に分散するモデル座標点を相互にフレーム連結することにより得られる単位セルの頂点数の最小値は３であり、該単位セル（シンプレックスという）は三角形となる。このような三角形はドローネ三角形と称される。このようなドローネ三角形を単位セルとして使用することで、実制御座標点に対する最近接のモデル座標点を用いて、最小限の数のモデル制御パターンをモーフィングすることにより合成制御パターンを得ることができ、処理の簡略化を測ることができる。
【００２２】
一方、上記の単位セルは、単位セルは、部分入力平面を張る各座標軸と各辺が平行に定められた長方形セルとして選ぶこともできる。該長方形セルは、シンプレックスであるドローネ三角形よりも多い頂点数の冗長頂点単位セルであり、これを採用することで、合成制御パターンの作成に関与するモデル制御パターンの数を増やす（冗長化する）ことができ、当該合成制御パターンに従う実制御座標点での制御内容の妥当性をより高めることができる。
【００２３】
また、冗長頂点単位セルの頂点、すなわちモデル座標点の全てをランダムに設定した場合は、モデル座標点１つに付き２個の座標成分が存在することから、モーフィング演算には２×（全頂点数）の座標値を独立変数として考慮しなければならない。しかし、上記のような長方形セルを採用すれば、長方形セルの各辺の長さ（２通り）が与えられれば、長方形セルの頂点をなす１つのモデル座標点の座標から、他のモデル座標点の座標を自動的に決定できる。従って、演算に考慮すべき独立変数の数は、２（座標成分数）＋２（長方形セルの各辺の長さ）＝４となり、モデル座標点の全てをランダムに設定する場合と比較して演算を大幅に簡略化できる。特に、冗長頂点単位セルをなす複数の長方形セルを互いに合同となるように定めておくと、長方形セルの各辺の長さを定数化できるので、演算においては、１個のモデル座標点の座標成分のみを変数として扱えばよく、演算に考慮すべき独立変数は４個で済むようになり、更なる演算の簡略化を図ることができる。
【００２４】
上記長方形セルの各頂点をなすモデル座標点と実制御座標点との幾何学的な関係に基づき、各モデル座標点に対応するモデル制御パターンを線形補間合成して合成制御パターンを得る場合は、次の手法を採用することにより、モーフィングアルゴリズムの大幅な簡略化を図ることができる。すなわち、長方形セルの実制御座標点を通って各辺と平行な２個の平面で切断する。これにより、長方形セルは、それぞれ実制御座標点を共有し、かつ長方形セルの頂点をなすモデル座標点を排他的に１個ずつ取り合う４個の部分長方形に区切られる。
【００２５】
そして、各部分長方形の長方形セルに対する相対体積を、当該部分長方形に含まれるモデル座標点の長方形セルの対角線方向反対側に位置するモデル座標点への重みとする形でモーフィングを行なう。この方法によれば、モーフィングの重み演算を各部分長方形の体積演算に転換することができ、例えば２点間線形補間によるモデル制御パターン合成を比較的少数回繰り返すだけで最終的な合成制御パターンを簡単に得ることができる。
【発明を実施するための最良の形態】
【００２６】
以下、本発明の実施の形態を、図面を用いて説明する。
図１は、本発明のエアコン制御装置の一例たるエアコン制御装置ＣＡの全体構成を模式的に示すブロック図である。エアコン制御装置ＣＡはダクト１を備え、該ダクト１には、車内空気を循環させるための内気吸い込み口１３と、車外の空気を取込む外気吸い込み口１４とが形成され、内外気切替ダンパー１５によりいずれかが切替使用される。これら内気吸い込み口１３ないし外気吸い込み口１４からの空気は、ブロワモータ２３により駆動されるブロワ１６によってダクト１内に吸い込まれる。
【００２７】
ダクト１内は、吸い込まれた空気を冷却して冷気を発生させるためのエバポレータ１７と、逆にこれを加熱して暖気を発生させるヒータコア２（エンジン冷却水の廃熱により発熱動作する）とが設けられている。そして、これら冷気と暖気とが、エアミックスダンパー３の角度位置に対応した比率にて混合され、吹出口４，５，６より吹き出される。このうち、フロントグラス曇り止め用のデフ吹出口４は、フロントグラスの内面下縁に対応するインパネ上方奥に、フェイス吹出口５はインパネの正面中央に、フット吹出口６はインパネ下面奥の搭乗者足元に対向する位置にそれぞれ開口し、吹出口切替用ダンパー７，８，９により個別に開閉される。具体的には、モータ２０からのダンパー制御用の回転入力位相に応じて、ダンパー駆動ギア機構１０により、フェイス吹出口５のみを開いた状態、フェイス吹出口５とフット吹出口６とを開いた状態、フット吹出口６のみを開いた状態、フット吹出口６とデフ吹出口４とを開いた状態、デフ吹出口４のみを開いた状態の間で切り替えられる。
【００２８】
また、内外気切替ダンパー１５はモータ２１により、エアミックスダンパー３はモータ１９により、吹出口切替用ダンパー７，８，９はモータ２０により、それぞれ電動駆動される。これらモータ１９，２０，２１は例えばステッピングモータにて構成され、個々の動作はエアコン駆動制御手段の主体をなすエアコンＥＣＵ１７０により集中制御される。さらにブロワモータ２３はブラシレスモータ等で構成され、エアコンＥＣＵ１７０により、ＰＷＭ制御にて回転速度制御することにより吹き出し風量が調整される。エアコンＥＣＵ１７０の実体はコンピュータハードウェアであり、エバポレータセンサ５１、内気センサ５５、外気センサ５６、水温センサ５７、日射センサ５８及び吹出口温度センサ６１が接続されている。外気センサ５６は車外気温を測定するためのものであり、日射センサ５８は車外の日射量を測定するためのものである。また、吹出口温度センサ６１は、エアコン空調風の吹出温度を測定するためのものである。
【００２９】
また、車載エアコン用操作ユニット１００も独立した操作ユニットＥＣＵ１６０を有し、風量設定スイッチ５２、吹出口切替スイッチ５３、温度設定スイッチ５４、Ａ／Ｃスイッチ５９、オート切替スイッチ１０３、内外気切替スイッチ６０が接続されている。操作ユニットＥＣＵ１６０はエアコンＥＣＵ１７０と通信バス３０（例えば、ＬＩＮ通信バス等のシリアル通信バス）により接続されている。
【００３０】
操作ユニットＥＣＵ１６０もコンピュータハードウェアであり、前述の風量設定スイッチ５２、吹出口切替スイッチ５３、温度設定スイッチ５４Ｄ，５４Ｐ、Ａ／Ｃスイッチ５９、オート切替スイッチ１０３、内外気切替スイッチ６０、前述の第一表示装置４１及び第二表示装置４２が接続されている。風量設定スイッチ５２、吹出口切替スイッチ５３、温度設定スイッチ５４Ｄ，５４Ｐ、Ａ／Ｃスイッチ５９、オート切替スイッチ１０３あるいは内外気切替スイッチ６０の各操作入力状態は、操作ユニットＥＣＵ１６０から通信バス３０を介してエアコンＥＣＵ１７０に送られる。
【００３１】
具体的には、エアコンＥＣＵ１７０は、操作ユニットＥＣＵ１６０と連携して、内蔵のＲＯＭ等に搭載されたエアコン制御ファームウェアの実行により、以下のような制御を行なう。
・内外気切替スイッチ６０の操作入力状態に対応して、内気側及び外気側のいずれかに内外気切替用ダンパー１５が倒れるよう、対応するモータ２１の駆動ＩＣに制御指令を行なう。
・Ａ／Ｃスイッチ５９の操作状態に応じて、エバポレータ１７の作動をオン・オフさせる。
【００３２】
・オート切替スイッチ１０３の入力状態に基づいて、エアコンの動作モードをマニュアルモードとオートモードとの間で切り替える（モード切替手段）。
・オートモードでは、温度設定スイッチ５４Ｄ，５４Ｐによる設定温度の入力情報と、内気センサ５５、外気センサ５６、水温センサ５７、日射センサ５８及び吹出口温度センサ６１の出力情報とを参照し、車内温度が設定温度に近づくよう、エアミックスダンパー３の開度調整による吹き出し温度調整と、ブロワモータ２３による風量調整と、吹出口切替ダンパー７，８，９の位置変更とがなされるよう、対応するモータ１９，２３，２０の動作制御指令を行なう。
・マニュアルモードでは、風量設定スイッチ５２と吹出口切替スイッチ５３との操作入力状態に対応して、ブロワモータ２３による風量調整を行なうとともに、吹出口切替ダンパー７，８，９が対応する開閉状態となるようにモータ２０への駆動制御指令を行なう。
【００３３】
吹出口切替ダンパーの位置切替制御に関し、上記のエアコン制御装置ＣＡは、外気温度ξ、日射量η及び吹出口温度βを少なくとも含む必須入力変数群を参照して、エアコン吹出口４，５，６を切り替えるための吹出口切替ダンパー８，９の位置を示す出力変数αの値を演算し、その得られた出力変数値αに基づきエアコンの吹出口切替ダンパー８，９の位置切替制御を行なう。
【００３４】
前述のファームウェアは、次の機能実現手段をコンピュータ処理により実現するものである。
・制御特性情報記憶手段：必須入力変数群（外気温度ξ、日射量η及び吹出口温度β）の値に応じて出力変数（吹出口切替ダンパー８，９の位置α）の値を決定する制御特性情報として、第一種入力変数（（外気温度ξ、日射量η）が張る部分入力平面ＭＰＳ（ここでは、ξ−η平面）上の予め定められたＱ個（Ｑ≧４：図３Ａに示すごとく、この実施形態ではＱ＝３０の場合を例示している）のモデル座標点ｐ毎に複数離散的に用意された、第二種入力変数（吹出口温度β）の値と出力変数（吹出口切替ダンパー８，９の位置α）の値との関係を定めるモデル制御パターンＰ（図３Ａ）を記憶する。図１の制御データメモリ１７１がこれに相当する。
【００３５】
・被モーフィング座標点特定手段：必須入力変数群（外気温度ξ、日射量η及び吹出口温度β）の３次元入力値ｐｘが与えられたとき、図５に示すごとく、該入力値ｐｘに含まれる第一種入力変数（外気温度ξ、日射量η）の部分入力平面ＭＰＳ（ξ−η平面）上の座標点を実制御座標点ｐｘとして、該部分入力平面ＭＰＳ（ξ−η平面）にて実制御座標点ｐｘを含む予め定められたモーフィング対象領域ＤＴに存在するＪ個（Ｑ＞Ｊ≧３：ここでは、Ｊ＝３であり、モーフィング対象領域ＤＴはドローネ三角形である）のモデル座標点ｐを被モーフィング座標点ｐａ，ｐｂ，ｐｃとして特定する。
・制御パターンモーフィング手段：第二種入力変数（吹出口温度β）と出力変数（吹出口切替ダンパー８，９の位置α）とが張る制御パターン平面ＣＰＳ（ここでは、β−α平面）において、各被モーフィング座標点ｐａ，ｐｂ，ｐｃに対応するＪ個のモデル制御パターンＰａ，Ｐｂ，Ｐｃの形状を、部分入力平面ＭＰＳ（ξ−η平面）における各被モーフィング座標点ｐａ，ｐｂ，ｐｃの実制御座標点ｐｘまでの距離に応じた重みにてモーフィングすることにより、実制御座標点ｐｘに対応する合成制御パターンＰｘを作成する。
・出力変数計算手段：合成制御パターンＰｘに基づいて第二種入力変数（吹出口温度β）に対応する出力変数（吹出口切替ダンパー８，９の位置α）の値を計算する。
【００３６】
以下、エアコン制御装置ＣＡの動作について、より詳細に説明する。図２に示すように、エアコンＥＣＵ１７０は、出力変数たる吹出口切替ダンパー８，９の位置αの設定値を計算するために、図１の３つのセンサ、すなわち、外気センサ５６、日射センサ５８及び吹出口温度センサ６１の検出値を読み込む。外気センサ５６の検出値が外気温度ξとして取得され、日射センサ５８の検出値が日射量ηとして取得される。また、吹出口温度センサ６１の検出値が吹出口温度βとして取得される。
【００３７】
取得された外気温度ξと日射量ηとの組が部分入力平面ＭＰＳ（ξ−η平面）上での実制御座標点ｐｘを示す。他方、外気温度ξと日射量η（第一種入力変数）の種々の値の組が、モデル座標点ｐとして定められており、図３Ａに示すように、制御データメモリ１７０には、各モデル座標点ｐｉ（ξｉ，ηｉ）毎にモデル制御パターンＰｉ（≡Ｐ１〜Ｐ３０）が格納されている。
【００３８】
図４に示すように、各モデル制御パターンＰｉ（≡Ｐ１〜Ｐ３０：図５）は、吹出口温度β（第二種入力変数）と吹出口切替ダンパー８，９の位置α（出力変数）とが張る制御パターン平面ＣＰＳ（β−α平面）上にて描画可能な二次元線図パターンとされている。該制御パターンＰｉは、吹出口温度βが予め定められた遷移温度域Δθよりも低い側に外れるとき、つまり、遷移温度域Δθの下限温度をθ１、上限温度をθ２としてβ＜θ１のとき、吹出口がフェイス（Ｆａｃｅ）側となり、遷移温度域θよりも高い側に外れるとき、つまりβ＞θ２のとき、吹出口がフット（Ｆｏｏｔ）側となるように、吹出口切替ダンパー８，９の位置αを規定するものである。フェイス吹出口用ダンパー８と、フット吹出口用ダンパー９とはモータ２０により互いに連動して開閉駆動され、図４右に示すように、出力変数αがゼロのとき、フェイス吹出口用ダンパー８が全閉となりフット吹出口用ダンパー９が全開となる。また、出力変数αが最大値αmaxのときフェイス吹出口用ダンパー８が全開となりフット吹出口用ダンパー９が全閉となる。また、αが中間値のとき、つまり、吹出口温度βが、図４の左に示す遷移温度域Δθ内に存在する場合は、図４右に示すダンパー開度特性に従い各ダンパー８，９はαの値に応じた中間の開度となり、各開度に応じた風量にてフェイス吹出口５とフット吹出口６との双方から空調風を吹き出すモードとなる。
【００３９】
図５に示すように、各モデル制御パターンＰ１〜Ｐ３０は、外気温度ξが高くなるほど、また、日射量ηが大きくなるほど、吹出口温度βの遷移温度域Δθの中心温度θｍが高温側となるように定められている。該中心温度θｍは、吹出口がフェイス側（冷房側）からフット側（暖房側）へ切り替わる切替温度とみることができ、外気温度ξが高くなるほど、あるいは日射量ηが大きくなるほど、吹出口温度βの高温側までフェイス側（冷房側）からの吹出が継続されるようになり、高温域まで吹出風を冷房風として活用することができる。また、外気温度ξが低くなると、また、夜間等のように日射量ηが小さい場合は、中心温度θｍが低温側へ推移する結果、吹出口温度βが比較的低い段階でフット側（暖房側）からの吹き出しが開始され、空調風を暖房として活用する上で好都合となる。なお、いずれの場合も、吹出口温度βが遷移温度域Δθ内に存在するときは、αはフェイス／フットの中間値となり、図４左の特性に従い、αの値に応じた比率で風量を振り分けた形で、フェイス吹出口５とフット吹出口６との双方から空調風は吹き出すモードとなる。
【００４０】
各モデル制御パターンは、図５に示すように、その起点から終点に向けて配列する一定個数（図では９個）のハンドリング点ｈｉを有し、それらハンドリング点ｈｉを順次直線連結して得られる折線状パターンとして定義されている。従って、制御パターンＰは、それらハンドリング点ｈｉのβ−α平面上での座標値の集合として一義的に規定することができ、各てのモデル制御パターンＰｉの各ハンドリング点ｈ同士は、配列順位に従い一義的な対応関係を形成する。
【００４１】
図６に示すように、第一種入力変数である外気温度ξと日射量ηとが張る部分入力平面ＭＰＳ（ξ−η平面）は、各モデル座標点を頂点とする形でドローネ三角形（シンプレックス）をなす単位セルＤＴにより隙間なく区画されている。このドローネ三角形を用いた具体的な制御の流れを図９のフローチャートに示す。まず、取得された外気温度ξと日射量ηとの組を座標成分とする実制御座標点ｐｘが属している単位セルＤＴを特定する（Ｓ１）。そして、特定された単位セルＤＴの各頂点をなす３つのモデル座標点を被モーフィング座標点ｐａ，ｐｂ，ｐｃとして選択する（Ｓ２）。
【００４２】
そして、図６に示すように、被モーフィング座標点ｐａ，ｐｂ，ｐｃに対応する３個のモデル制御パターンＰａ，Ｐｂ，Ｐｃを制御データメモリ１７０から読み出し（Ｓ３）、部分入力平面ＭＰＳ（ξ−η平面）における各被モーフィング座標点ｐａ，ｐｂ，ｐｃの実制御座標点ｐｘまでの距離に応じた重みにてモーフィングすることにより、実制御座標点ｐｘに対応する合成制御パターンＰｘを作成する（Ｓ４）。この計算は、図１のモーフィング計算部１７２が行なう。
【００４３】
図７は、制御パターンの、ドローネ三角形を用いたポリモーフィングのアルゴリズムを概念的に示すものである。ここでは、ドローネ三角形の頂点に対応する３つの制御パターン図形Ｐ０，Ｐ１，Ｐ２を合成する場合を例にとっており、ＷｉｊはＰｉからＰｊへのワープ関数で、Ｐｉ上の各点に対応するＰｊ上の点を特定する。合成制御パターンＰを生成するには、まずＷｉｊをＰｊの重心座標ｇｊに適用してＰｉ毎にＷｉｊを線形内挿し、中間ワープ関数Ｗｉバーを導く。各Ｐｉは、隣接する２つのものが、Ｗｉバーにより実制御座標点のｐｘ重心座標Ｇ＊に応じた重みで中間合成され、中間制御パターンＰｉバーを生成する。合成制御パターンＰｘは、Ｐｉバーの各点（具体的には、各ハンドリング点）を重心座標ｇｊが示す重みにて線形結合して得られる。
【００４４】
図８は、これをさらに具体的に展開して示すものであり、ξ−η平面上にて、被モーフィング座標点ｐａ，ｐｂ，ｐｃをそれぞれ点Ａ，Ｂ，Ｃとし、また、実制御座標点ｐｘを点Ｘとする。三角形ＡＢＣの各頂点Ａ，Ｂ，Ｃから、点Ｘを通って各辺と交差する直線を考え、各辺との交点をＤ，Ｅ，Ｆとすると、ｐｘの重心座標Ｇ＊の各成分は、図中のｇａ，ｇｂ，ｇｃとして式（１）により表わされる。図中の各点の座標値及び各線分の長さは周知の解析幾何学の手法により計算できるが、いずれも初等的であるため詳細な説明は略する。すると、３つの中間制御パターンＰｉバーは、図中のＰｄ，Ｐｅ，Ｐｆとして式（２）により計算できる。その結果、Ｐｘはｇａ，ｇｂ，ｇｃを重みとするＰｄ，Ｐｅ，Ｐｆの線形結合として計算できる。
【００４５】
ここで、被モーフィング座標点ｐａ，ｐｂ，ｐｃに対応する各モデル制御パターンＰａ，Ｐｂ，Ｐｃの実体は、前述のごとく、各々同じ数のハンドリング点を繋いで得られる折線状パターンであり、β−α平面上でのハンドリング点ｈｉの座標値の集合と等価であるから、図８の式（２）のＰａ，Ｐｂ，Ｐｃに、それぞれ対応するハンドリング点の座標値を代入すれば、中間制御パターンＰｄ，Ｐｅ，Ｐｆのハンドリング点の集合を得ることができ、さらに、これを（３）式に代入することにより、合成制御パターンＰｘのハンドリング点の集合を得ることができる。これを相互に繋ぐと最終的な合成制御パターンＰｘが得られる。そして、この合成制御パターンＰｘ上にて、現在検出されている吹出口温度β（第二種入力変数）の値に対応する吹出口切替ダンパー８，９の位置αの値を読み取り、制御値として出力する（Ｓ５）。
【００４６】
次に、部分入力平面ＭＰＳ（ξ−η平面）は、図１０に示すように、ドローネ三角形（シンプレックス）よりも頂点数の多い冗長頂点単位セルＤＴにより区画することもできる。シンプレックスよりも多い頂点数の冗長頂点単位セルＨＣＢを採用することで、合成制御パターンＰｘの作成に関与するモデル制御パターンＰａ，Ｐｂ，Ｐｃ，Ｐｄの数を増やす（冗長化する：ここでは３→４）ことができ、当該合成制御パターンＰｘに従う実制御座標点ｐｘでの制御内容の妥当性をより高めることができる。
【００４７】
本実施形態では、冗長頂点単位セルＨＣＢは、頂点数４個の長方形セルＨＣＢとして選んである。冗長頂点単位セルＨＣＢの頂点、すなわちモデル座標点の全てをランダムに設定した場合は、モデル座標点１つに付き２個の座標成分が存在することから、モーフィング演算には２×（全頂点数）の座標値を独立変数として考慮しなければならない。しかし、上記のような長方形セルＨＣＢを採用すれば、長方形セルＨＣＢの各辺の長さ（Ｍ通り）が与えられれば、長方形セルＨＣＢの頂点をなす１つのモデル座標点の座標から、他のモデル座標点の座標を自動的に決定できる。
【００４８】
図１３に示すように、ξ−η平面（部分入力平面）の原点に最も近い長方形（長方形セル）ＨＣＢの頂点をなすモデル座標点ｐａの座標を（ξａ，ηａ）とすれば、長方形セルＨＣＢのξ軸方向の辺長をΔξ、η座標軸方向の辺長をΔηとして、残り３つの頂点をなすモデル座標点ｐｂ，ｐｃ，ｐｄは、それぞれｐｂ：（ξａ＋Δξ，ηａ）、ｐｃ：（ξａ，ηａ＋Δη）、ｐｃ：（ξａ＋Δξ，ηａ＋Δη）として表わすことができる。図１０に示すように、冗長頂点単位セルをなす複数の長方形セルＨＣＢが全て合同となるように定めた場合（つまり、各モデル座標点がξ軸方向とη軸方向にそれぞれ等間隔でマトリックス状に配列した場合）は、Δξ及びΔηは一定、すなわち定数となる。従って、モーフィング演算においては、１個のモデル座標点の座標成分ξａ，ηａのみを独立変数として扱えばよく、演算に考慮すべき独立変数ξ，ηの２個で済むようになり、モーフィング演算の大幅な簡略化を図ることができるのである。
【００４９】
この長方形セルＨＣＢ（長方形）を用いた具体的な制御の流れを図１２のフローチャートに示す。まず、図１０に示すように、取得された外気温度ξと日射量ηとの組を座標成分とする実制御座標点ｐｘが属している長方形セルＨＣＢを特定する。そして、図１１に示すように、特定された長方形セルＨＣＢの各頂点をなす４つのモデル座標点を被モーフィング座標点ｐａ，ｐｂ，ｐｃ，ｐｄとして選択し、これらに対応する４個のモデル制御パターンＰａ，Ｐｂ，Ｐｃ，Ｐｄを制御データメモリ１７０から読み出し（Ｓ２０１）、部分入力平面ＭＰＳ（ξ−η平面）における各被モーフィング座標点ｐａ，ｐｂ，ｐｃ，ｐｄの実制御座標点ｐｘまでの距離に応じた重みにてモーフィングすることにより、実制御座標点ｐｘに対応する合成制御パターンＰｘを作成する（Ｓ２０２）。この計算は、図１のモーフィング計算部１７２が行なう。
【００５０】
図１３に、長方形セルＨＣＢを用いた制御パターンのポリモーフィングのアルゴリズムを概念的に示している。被モーフィング座標点ｐａ，ｐｂ，ｐｃ，ｐｄをそれぞれＡ，Ｂ，Ｃ，Ｄとして、長方形セルＨＣＢの実制御座標点ｐｘを通って各辺（ＣＡ，ＤＢ及びＣＤ，ＡＢ）と平行な２本の直線で切断する。これにより、長方形セルＨＣＢは、それぞれ実制御座標点Ｘ（ｐｘ）を共有し、かつ長方形セルＨＣＢの頂点をなすモデル座標点を排他的に１個ずつ取り合う４個の部分長方形ＳＣＢ、具体的には長方形ＣＫＸＮ（面積：Ｓｂ），ＮＸＬＤ（面積：Ｓａ），ＫＡＭＸ（面積：Ｓｄ），ＫＭＢＬ（面積：Ｓｄ）に区切られる。
【００５１】
そして、各部分長方形（部分長方形）ＳＣＢの長方形セルＨＣＢに対する相対面積（相対体積）を、当該部分長方形ＳＣＢに含まれるモデル座標点の長方形セルＨＣＢの対角線方向反対側に位置するモデル座標点（すなわち、ｐａに対してはｐｄ、ｐｂに対してはｐｃ、ｐｄに対してはｐａ、ｐｃに対してはｐｂ）への重みとする形でモーフィングを行なう。すなわち、長方形セルＨＣＢの面積をＳ０とすれば、合成制御パターンＰｘは、
Ｐｘ＝（１／Ｓ０）×（Ｓａ・Ｐａ＋Ｓｂ・Ｐｂ＋Ｓｃ・Ｐｃ＋Ｓｄ・Ｐｄ）  
‥（１３）
にて合成することができる。
【００５２】
上記モーフィング演算のアルゴリズムは、実は、次のような補間合成演算を逐次的に実行して合成制御パターンＰｘを得るのと数学的に全く等価である。すなわち、長方形セルＨＣＢの各座標軸方向に隣接する２つのモデル座標点間にて、それらモデル座標点が張る線分への実制御座標点ｐｘの正射影点を分点とする形で、梃子の原理により一次中間制御パターンを合成する。次いで、長方形セルＨＣＢの各面の対向する２辺について得られた一次中間制御パターンに対し、対応する正射影点が張る線分について実制御座標点ｐｘの正射影点を新たに分点として設け、その分点に関してそれら一次中間制御パターン同士を梃子の原理により合成し、二次中間制御パターンとする。この一連の処理を、分点が実制御座標点Ｘにたどり着くまで繰り返す。長方形セルＨＣＢのどの辺から補間演算を開始しても、最終的に得られる結果は全て同じである。
【００５３】
図１１内に、その計算例を示している。すなわち、線分ＤＢへの実制御座標点ｐｘの正射影点をＬとし、線分ＣＡへの実制御座標点ｐｘの正射影点をＫＬとすれば、線分ＤＢ側の一次中間制御パターンＰＬが図中の式（１１）により、線分ＣＡ側の一次中間制御パターンＰＫが図中の式（１２）により計算される。線分ＫＬ上には実制御座標点Ｘが存在するので、これを分点として一次中間制御パターンＰＬ及びＰＫを用いて二次中間制御パターンを求めると、（１３）式通りの合成制御パターンＰｘが得られることは幾何学的に容易に理解できる。なお、Ｐｘをξａ及びηａを用いて表した結果を（１７）式に示している。
【図面の簡単な説明】
【００５４】
【図１】本発明の適用対象となるエアコン制御装置の電気的構成の一例を示すブロック図。
【図２】その制御系統の要部を抽出して示すブロック図。
【図３Ａ】制御データメモリの内容を示す概念図。
【図３Ｂ】制御データメモリ内容の別例を示す概念図。
【図４】モデル制御パターンの一例を示す図。
【図５】種々のモデル座標点に対するモデル制御パターンの設定例を示す図。
【図６】部分入力平面の単位セルへの分割方法の第一例を示す図。
【図７】図９の単位セルを用いたポリモーフィングの概念図。
【図８】線図パターンとして与えられた制御パターンの、図６の単位セルを用いたポリモーフィング計算アルゴリズムを幾何学的に説明する図。
【図９】図８のポリモーフィング計算アルゴリズムを利用した制御処理の流れを示すフローチャート。
【図１０】部分入力平面の単位セルへの分割方法の第二例を示す図。
【図１１】線図パターンとして与えられた制御パターンの、図１０の単位セルを用いたポリモーフィング計算アルゴリズムを幾何学的に説明する図。
【図１２】図１０の場合の制御処理の流れを示すフローチャート。
【符号の説明】
【００５５】
ＣＡ  空調制御装置（エアコン制御装置）
β，ξ，η  必須入力変数群
ξ，η  第一種入力変数
β  第二種入力変数
α  出力変数
ＭＰＳ  部分入力平面
ＣＰＳ  制御パターン平面
ｐ  モデル座標点
ｐｘ  実制御座標点
ｐａ，ｐｂ，ｐｃ  被モーフィング座標点
Ｐ  モデル制御パターン
Ｐｘ  合成制御パターン
ｈｉ  ハンドリング点
ＤＴ  単位セル（モーフィング対象領域、ドローネ三角形）
ＨＣＢ  長方形セル（冗長頂点単位セル）
１７０  エアコンＥＣＵ
１７１  モーフィング計算部（制御パターンモーフィング手段）
１７２  制御データメモリ（制御特性情報記憶手段）
【図１】
0005007954.tif 000002
【図２】
0005007954.tif 000003
【図３Ａ】
0005007954.tif 000004
【図３Ｂ】
0005007954.tif 000005
【図４】
0005007954.tif 000006
【図５】
0005007954.tif 000007
【図６】
0005007954.tif 000008
【図７】
0005007954.tif 000009
【図８】
0005007954.tif 000010
【図９】
0005007954.tif 000011
【図１０】
0005007954.tif 000012
【図１１】
0005007954.tif 000013
【図１２】
0005007954.tif 000014